(57)【要約】【課題】電力線等の測定対象の電圧を非接触で高精度に測定可能とした電圧測定装置を提供する。【解決手段】被測定電圧と参照電位との電位差に応じて振幅が変化する検出信号を出力する検出部３と、検出信号から被測定電圧の周波数成分を抽出して出力する復調部４ａと、復調部４ａの出力信号に基づき、所定範囲で参照電位を変化させて出力する電圧生成部４ｂと、前記電位差が所定値以下になった時の参照電位を被測定電圧として同定するデータ処理部４ｃとを備えた電圧測定装置において、検出部３は、測定対象と検出電極２との結合容量を介して流れる電流を、スイッチング素子３１１，３１２のオン／オフにより被測定電圧の周波数よりも高い周波数に変調する変調回路３１と、その出力から前記検出信号を生成するトランス３２とを備え、スイッチング素子３１１，３１２とトランス３２とを直列または並列に接続する。【選択図】図１
2017194419.tif 000002
【特許請求の範囲】
【請求項１】
測定対象に印加された被測定電圧を前記測定対象に非接触状態で測定する電圧測定装置であって、前記被測定電圧と参照電位との電位差に応じて振幅が変化する検出信号を出力する検出部と、前記検出信号から前記被測定電圧の周波数成分を抽出して出力する復調部と、前記復調部の出力信号が入力され、予め設定された所定の電圧範囲で前記参照電位を変化させて出力する電圧生成部と、前記電位差が所定値以下になったときの前記参照電位を前記被測定電圧として同定するデータ処理部とを備えた電圧測定装置であって、
前記検出部は、
前記測定対象と検出電極との結合容量を介して流れる電流を、スイッチング素子のオン／オフにより前記被測定電圧の周波数よりも高い周波数に変調する変調回路と、前記変調回路の出力から前記検出信号を生成する電流検出回路と、を備え、
前記スイッチング素子と前記電流検出回路とを直列に接続したことを特徴とする電圧測定装置。
【請求項２】
測定対象に印加された被測定電圧を前記測定対象に非接触状態で測定する電圧測定装置であって、前記被測定電圧と参照電位との電位差に応じて振幅が変化する検出信号を出力する検出部と、前記検出信号から前記被測定電圧の周波数成分を抽出して出力する復調部と、前記復調部の出力信号が入力され、予め設定された所定の電圧範囲で前記参照電位を変化させて出力する電圧生成部と、前記電位差が所定値以下になったときの前記参照電位を前記被測定電圧として同定するデータ処理部とを備えた電圧測定装置であって、
前記検出部は、
前記測定対象と検出電極との結合容量を介して流れる電流を、スイッチング素子のオン／オフにより前記被測定電圧の周波数よりも高い周波数に変調する変調回路と、前記変調回路の出力から前記検出信号を生成する電流検出回路と、を備え、
前記スイッチング素子と前記電流検出回路とを並列に接続したことを特徴とする電圧測定装置。
【請求項３】
請求項１または２に記載した電圧測定装置において、
前記電流検出回路は、前記スイッチング素子に流れる電流により励磁される一次巻線と、前記復調部に接続される二次巻線とを備えたトランスであることを特徴とする電圧測定装置。
【請求項４】
請求項１〜３の何れか１項に記載した電圧測定装置において、
前記電圧生成部は、前記復調部から一次巻線に入力された信号電圧を昇圧し、昇圧後の電圧を前記参照電位として二次巻線から出力する昇圧トランスを備えたことを特徴とする電圧測定装置。
【請求項５】
請求項１〜４の何れか１項に記載した電圧測定装置において、
前記スイッチング素子としてＭＯＳＦＥＴを用いたことを特徴とする電圧測定装置。
【発明の詳細な説明】
【技術分野】
【０００１】
本発明は、電力線等の測定対象に印加された電圧を、測定対象に非接触状態で測定する電圧測定装置に関するものである。
【背景技術】
【０００２】
従来、電力線の芯線と検出プローブ内の電極との結合容量を利用して電力線への印加電圧を非接触にて測定する電圧測定装置が知られている。
この種の電圧測定装置では、電力線に対する検出プローブの位置関係や電力線の絶縁被覆の材質、温湿度等の周囲環境による誘電率の違いに起因して前記結合容量が変化し、これが測定誤差となるため、電力線の電圧を高精度に測定できない場合があった。
このため、上記の問題を解決する電圧測定装置として、特許文献１〜３に記載された従来技術が知られている。
【０００３】
特許文献１，２に記載された電圧測定装置は、検出電極、ダイオードやコンデンサ等の容量変化機能体及びその駆動回路からなる可変容量回路、電流検出器、増幅回路、同期検波回路、積分回路、電圧生成回路等を備えている。
これらの電圧測定装置では、容量変化機能体の容量を変化させ、測定対象、例えば電力線と検出電極との結合容量を介して流れる電流が容量変化機能体の動作周波数に応じて変化するように構成されている。上記の電流を、電流検出器を介して電圧に変換し、同期検波回路、増幅回路、積分回路等を介して電力線の電圧に応じた信号を生成すると共に、この信号を電圧生成回路により増幅する。
【０００４】
そして、検出電極、容量変化機能体、電流検出器、電圧生成回路を直列に接続することにより、電流検出器に流れる電流が減少してゼロになるように電圧生成回路の出力を電流検出器側にフィードバックし、電圧生成回路の出力電圧が電力線の電圧と等しくなるように制御している。
この従来技術によれば、電圧生成回路の出力電圧が被測定電圧と等しくなるようにフィードバック制御されるため、測定対象と検出電極との結合容量が変動した場合の影響を抑制することができる。
【０００５】
また、特許文献３に記載された電圧測定装置では、予め設定した最小電圧値から最大電圧値まで徐々に変化する参照電位信号を電圧生成回路が生成し、プローブユニットから、電力線の電圧と参照電位信号との電位差に応じて振幅が変化する検出信号を出力させて上記電位差がゼロになった時の参照電位信号の電圧を電力線の電圧として検出している。
【先行技術文献】
【特許文献】
【０００６】
【特許文献１】特開２００７−１６３４１５号公報（段落［００３６］〜［００５４］、図１等）
【特許文献２】特開２００９−１６２６０８号公報（段落［００３７］〜［００５１］、図１等）
【特許文献３】特開２００８−１４６４４号公報（段落［００１８］〜［００３３］、図１等）
【発明の概要】
【発明が解決しようとする課題】
【０００７】
特許文献１，２に係る電圧測定装置では、電流検出器側にフィードバックされる電圧生成回路の出力電圧を制御することにより、この電圧を電力線の電圧に一致させている。しかし、フィードバック制御には比例制御に基づく偏差が発生するという特性があるため、電圧生成回路の出力電圧を電力線の電圧に完全に一致させることができず、結果として電力線の電圧を高精度に測定することができなかった。
これに対し、特許文献３に係る電圧測定装置ではフィードバック制御を行っていないため、フィードバック制御に伴う偏差に起因した測定誤差が発生することはない。
【０００８】
しかしながら、特許文献１〜３に係る電圧測定装置においては、検出信号を変調するためにインピーダンスを変化させる容量変化機能体が検出電極と電流検出器との間に直列に接続されるため、容量変化機能体の駆動信号（駆動電流）が電流検出器にノイズ成分として検出され、測定精度に影響を与える場合がある。その対策として、これらの電圧測定装置では、容量変化機能体をダイオード等からなるブリッジにより構成して駆動信号成分が電流検出器によって検出されないようにしているが、ブリッジの平衡状態を厳密に管理しなくてはならず、製造上または調整上のコストが増大するおそれがある。
【０００９】
そこで、本発明の解決課題は、電力線等の測定対象の電圧を低コストかつ高精度に測定可能とした電圧測定装置を提供することにある。
【課題を解決するための手段】
【００１０】
上記課題を解決するため、請求項１に係る発明は、測定対象に印加された被測定電圧を前記測定対象に非接触状態で測定する電圧測定装置であって、前記被測定電圧と参照電位との電位差に応じて振幅が変化する検出信号を出力する検出部と、前記検出信号から前記被測定電圧の周波数成分を抽出して出力する復調部と、前記復調部の出力信号が入力され、予め設定された所定の電圧範囲で前記参照電位を変化させて出力する電圧生成部と、前記電位差が所定値以下になったときの前記参照電位を前記被測定電圧として同定するデータ処理部とを備えた電圧測定装置であって、
前記検出部は、
前記測定対象と検出電極との結合容量を介して流れる電流を、スイッチング素子のオン／オフにより前記被測定電圧の周波数よりも高い周波数に変調する変調回路と、前記変調回路の出力から前記検出信号を生成する電流検出回路と、を備え、前記スイッチング素子と前記電流検出回路とを直列に接続したものである。
【００１１】
請求項２に係る発明は、測定対象に印加された被測定電圧を前記測定対象に非接触状態で測定する電圧測定装置であって、前記被測定電圧と参照電位との電位差に応じて振幅が変化する検出信号を出力する検出部と、前記検出信号から前記被測定電圧の周波数成分を抽出して出力する復調部と、前記復調部の出力信号が入力され、予め設定された所定の電圧範囲で前記参照電位を変化させて出力する電圧生成部と、前記電位差が所定値以下になったときの前記参照電位を前記被測定電圧として同定するデータ処理部とを備えた電圧測定装置であって、
前記検出部は、
前記測定対象と検出電極との結合容量を介して流れる電流を、スイッチング素子のオン／オフにより前記被測定電圧の周波数よりも高い周波数に変調する変調回路と、前記変調回路の出力から前記検出信号を生成する電流検出回路と、を備え、前記スイッチング素子と前記電流検出回路とを並列に接続したものである。
【００１２】
請求項３に係る発明は、請求項１または２に記載した電圧測定装置において、前記電流検出回路は、前記スイッチング素子に流れる電流により励磁される一次巻線と、前記復調部に接続される二次巻線とを備えたトランスであることを特徴とする。
【００１３】
請求項４に係る発明は、請求項１〜３の何れか１項に記載した電圧測定装置において、前記電圧生成部は、前記復調部から一次巻線に入力された信号電圧を昇圧し、昇圧後の電圧を前記参照電位として二次巻線から出力する昇圧トランスを備えたものである。
【００１４】
請求項５に係る発明は、請求項１〜４の何れか１項に記載した電圧測定装置において、前記スイッチング素子としてＭＯＳＦＥＴを用いたものである。
【発明の効果】
【００１５】
本発明によれば、フィードバック制御の際に発生する偏差に起因する計測誤差が発生しないため、電力線等の測定対象の電圧を高精度に計測することができる。
また、ブリッジ回路により構成された容量変化機能体に代えてスイッチング素子をオン／オフさせることにより検出信号を変調する構成であるため、ブリッジの平衡状態の厳密な管理を不要にして製造上または調整上のコストを低減することができる。
更に、電圧生成部における昇圧トランスの巻数比を変更するだけで参照電位を広範囲にわたって設定することができ、様々な大きさの被測定電圧を正確に測定することが可能である。
【図面の簡単な説明】
【００１６】
【図１】本発明の第１実施形態に係る電圧測定装置の構成図である。
【図２】本発明の各実施形態における変調回路の具体的な構成図である。
【図３】本発明の第１実施形態における電力線の電圧ｖ１、アナログ信号Ｓ５及び参照電位信号Ｓ７の波形図である。
【図４】本発明の第２実施形態における検出部の構成図である。
【発明を実施するための形態】
【００１７】
以下、図に沿って本発明の実施形態を説明する。
図１は、本発明の第１実施形態に係る電圧測定装置の全体的な構成図である。
この電圧測定装置は、検出電極２及び測定装置本体５を備え、系統電源Ｇにより電力線１の芯線１ａに印加されている交流電圧ｖ１を非接触にて測定するものである。なお、Ｃ０は、電力線１に検出電極２を装着した際に芯線１ａと検出電極２との間に形成される結合容量を示す。ここで、検出電極２は、電力線１の外周面に密着して巻き付けられるように構成されている。
以下では、芯線１ａの電圧（被測定電圧）ｖ１を「電力線１の電圧」と同義なものとして説明する。
【００１８】
測定装置本体５は、検出電極２と共にセンサとして機能する検出部３と、検出部３の出力信号を処理する測定部４とを備え、検出部３は、検出電極２に接続された変調回路３１と、電流検出回路としての絶縁型のトランス３２とを有する。
変調回路３１は、検出電極２とトランス３２の一次巻線との間で互いに逆方向に直列接続された２個のスイッチング素子３１１，３１２と、これらのスイッチング素子３１１，３１２を駆動する駆動回路としてのトランス３１３と、を備えている。
【００１９】
図２は、変調回路３１の詳細な回路図である。この変調回路３１では、スイッチング素子３１１，３１２としてｎ型ＭＯＳＦＥＴ（Metal Oxide Semiconductor Field Effect Transistor）を用いている。なお、３１４はトランス３１３の二次巻線に並列に接続された抵抗を示す。
ｎ型ＭＯＳＦＥＴは、トランス３１３の一次巻線に加えられる駆動信号Ｓ１が「Ｈｉｇｈ」レベルのときにオンするが、電力線１の芯線１ａからの入力信号は正負両極性の信号であるため、２つのｎ型ＭＯＳＦＥＴはソース端子同士を接続し、逆バイアスされているＭＯＳＦＥＴ側は内蔵するボディダイオードを経由して電流が流れるようになっている。
【００２０】
図１に戻って、トランス３１３の一次側には、測定部４に設けられた復調部４ａ内の発振回路４０が接続されている。この発振回路４０は、例えば商用周波数（５０または６０[Ｈｚ]）の電圧ｖ１より充分に高い周波数（数百[ｋＨｚ]〜数[ＭＨｚ]）の矩形波状の駆動信号Ｓ１を出力し、トランス３１３を介してスイッチング素子３１１，３１２をオン／オフさせる。
【００２１】
このため、結合容量Ｃ０を介してスイッチング素子３１１，３１２に流れる電流は、駆動信号Ｓ１の周波数によって変調される。これにより、スイッチング素子３１１，３１２に流れる電流の大きさに比例し、かつ、高周波数の検出信号Ｓ２がトランス３２を介して測定部４に伝送され、この測定部４において、電力線１の電圧ｖ１の商用周波数成分が復調・増幅される。
なお、トランス３２の一次巻線の一端はスイッチング素子３１２に接続されていると共に、上記一次巻線の他端は、後述する電圧生成部４ｂ内の昇圧トランス４５の出力側に接続されている。
【００２２】
測定部４は、復調部４ａ、電圧生成部４ｂ及びデータ処理部４ｃからなり、復調部４ａは、前述した発振回路４０のほか、検波回路４１、増幅回路４２、及びフィルタ回路４３を備えている。
【００２３】
検波回路４１は、発振回路４０からの駆動信号Ｓ１に同期してトランス３２が励磁されるタイミングにて、検出信号Ｓ２を例えば包絡線検波する。検波後のアナログ信号Ｓ３は、増幅回路４２により予め設定された適切な増幅率にて増幅され、検出信号Ｓ４として出力される。
【００２４】
フィルタ回路４３は、検出信号Ｓ４の周波数成分をフィルタリングすることにより、電圧ｖ１の商用周波数成分のみを通過させる。ここで、検出部３ではスイッチング素子３１１，３１２のオン／オフによって電圧ｖ１を検出しており、検出信号Ｓ４の位相は電圧ｖ１の位相より９０°進んでいる。このため、フィルタ回路４３の構成としては、例えば、二次のアクティブローパス（高周波数域除去）フィルタを通過させた後に一次のハイパス（低周波数域除去）フィルタを通過させることで、電圧ｖ１に位相を合わせたアナログ信号Ｓ５を生成する。
【００２５】
次に、電圧生成部４ｂは、電圧生成回路４４、昇圧トランス４５、及び分圧回路４６を備えている。
電圧生成回路４４は、予め設定された最小電圧値から最大電圧値までの範囲で電圧値が徐々に増加、減少を繰り返す基準信号Ｓ６を、アナログ信号Ｓ５に基づいて生成する。この実施形態では、電圧生成回路４４が所定の振幅及び周波数の基準信号Ｓ６を生成する。なお、電圧生成回路４４は、三角波信号や鋸波信号のように、所定形状の波形が連続する交流信号を生成するものであっても良い。
【００２６】
昇圧トランス４５は絶縁型のトランスであり、一次巻線の巻数ｎ１と二次巻線の巻数ｎ２との間には、ｎ２＞ｎ１という関係がある。この昇圧トランス４５の一次巻線及び二次巻線は、各一端が共通接続され、一次巻線の他端には、電圧生成回路４４から基準信号Ｓ６が印加されている。これにより、昇圧トランス４５は、一次巻線に印加された基準信号Ｓ６を昇圧し、正側のピーク値（最大電圧値）が＋Ｖａ [Ｖ]、負側のピーク値（最小電圧値）が−Ｖａ[Ｖ]である振幅２Ｖａの正弦波信号を参照電位信号Ｓ７（その電圧をＶｒとし、以下では参照電位Ｖｒともいう）として二次巻線の他端から出力する。この参照電位信号Ｓ７は、後段の分圧回路４６と、前記検出部３内のトランス３２の一次巻線の他端に印加されている。
分圧回路４６は、参照電位Ｖｒを、予め設定された分圧比により分圧して電圧信号Ｓ８を出力する。
【００２７】
前述のフィルタ回路４３から出力されたアナログ信号Ｓ５と分圧回路４６から出力された電圧信号Ｓ８とは、データ処理部４ｃに入力されており、このデータ処理部４ｃにより、電力線１の電圧ｖ１を求めるためのデータ処理が実行される。
以下では、データ処理部４ｃの構成及び動作と併せて、本実施形態における電圧ｖ１の測定動作について説明する。
【００２８】
まず、電圧ｖ１の測定に際し、検出電極２を電力線１の芯線１ａに非接触な状態で装着することにより、芯線１ａと検出電極２との間に結合容量Ｃ０が形成される。
次いで、測定部４の起動状態において、電圧生成部４ｂでは、電圧生成回路４４が基準信号Ｓ６の生成を開始し、昇圧トランス４５が基準信号Ｓ６を昇圧して得た参照電位Ｖｒを検出部３内のトランス３２の一次巻線に印加する。また、電圧生成部４ｂでは、分圧回路４６が参照電位Ｖｒを分圧して得た電圧信号Ｓ８を、データ処理部４ｃのサンプルホールド回路４９に出力する。
【００２９】
一方、復調部４ａでは、発振回路４０が駆動信号Ｓ１を生成して変調回路３１に出力する。変調回路３１のトランス３１３は、一次側に入力された駆動信号Ｓ１に基づいて二次側からオン／オフ信号（パルス信号）を出力し、スイッチング素子３１１，３１２をオン／オフさせる。
【００３０】
このとき、スイッチング素子３１１，３１２のオンによりトランス３２の一次巻線が励磁され、その二次巻線からは、電力線１の電圧ｖ１に対して９０°位相が進んだ検出信号Ｓ２が出力される。また、スイッチング素子３１１，３１２がオフの時には、トランス３２の一次巻線が非励磁状態となり、その結果、トランス３２は逆励磁されて電力線１の電圧ｖ１に対して９０°位相が進んだ反転信号Ｓ２が出力される。
【００３１】
検波回路４１は、トランス３２から出力された検出信号Ｓ２を例えば包絡線検波し、検波後のアナログ信号Ｓ３は増幅回路４２により増幅されて検出信号Ｓ４となる。これにより、検出信号Ｓ２を駆動信号Ｓ１の周波数とは無関係にふるまう信号として復調することができる。
【００３２】
増幅回路４２により増幅された検出信号Ｓ４には、トランス３２の漏れインダクタンスの影響により、スイッチング素子３１１，３１２のオン／オフに伴って発生する高周波ノイズが含まれている。
従って、前述したように、フィルタ回路４３を二次のアクティブローパスフィルタ及び一次のハイパスフィルタによって構成すれば、高周波ノイズを除去することができると共に、フィルタ回路４３の全体で商用周波数帯のみを通過させるバンドパスフィルタを構成することで、検出信号Ｓ２より位相が９０°遅れたアナログ信号（電力線１の電圧ｖ１と同相の信号）Ｓ５を得ることができる。
【００３３】
図３は、電力線１の電圧ｖ１、アナログ信号Ｓ５及び参照電位信号Ｓ７（参照電位Ｖｒ）を示す波形図である。なお、電圧ｖ１の周波数は、アナログ信号Ｓ５及び参照電位信号Ｓ７の周波数に比べて極めて低いため、図３では、電圧ｖ１の波形をほぼ直線状に示してある。
【００３４】
参照電位信号Ｓ７を電圧ｖ１と時間軸を合せた信号として捉えた場合、フィルタ回路４３から出力されるアナログ信号Ｓ５は、電圧ｖ１に同期し、かつ電圧ｖ１に比例して変化する信号となる。図１のＡ／Ｄ変換回路４７は、このアナログ信号Ｓ５をディジタルデータＤ１に変換して制御回路４８に出力する。
制御回路４８は、入力データのゼロ検出処理を繰り返し実行している。このゼロ検出処理では、入力されたディジタルデータＤ１に基づき、図３に示す如く、アナログ信号Ｓ５の電圧値が０[Ｖ]になるタイミング（ゼロクロスタイミング）ｔｚを検出する。
【００３５】
Ａ／Ｄ変換回路４７は、一般的にサンプリング周期を持っているため、厳密には、アナログ信号Ｓ５のゼロクロスを確認することはできないが、近似的に、制御回路４８に入力されるディジタルデータＤ１の極性が反転したことに基づいてゼロクロスタイミングｔｚを検出しても実用上、問題はない。その理由は、電力線１の電圧ｖ１は商用周波数帯であるのに対し、Ａ／Ｄ変換回路４７のサンプリング周波数は、例えば１００[ｋＨｚ]のように充分高い周波数に設定可能なためである。
【００３６】
制御回路４８がゼロクロスタイミングｔｚを検出すると、このタイミングｔｚに同期してトリガ信号Ｓ９を生成し、サンプルホールド回路４９に出力する。この場合、ディジタルデータＤ１は電位差（ｖ１−Ｖｒ）に基づく値であるため、制御回路４８がゼロクロスタイミングｔｚを検出することは、（ｖ１−Ｖｒ）が０[Ｖ]、すなわち、参照電位Ｖｒが電力線１の電圧ｖ１と一致しているタイミングを検出することとなる。これにより、ゼロクロス検出処理を完了する。
【００３７】
サンプルホールド回路４９は、制御回路４８から出力されたトリガ信号Ｓ９に同期して、電圧信号Ｓ８の電圧値を保持すると共に、この電圧値を示すデータＤ２を制御回路４８に出力する。制御回路４８は、ゼロクロス検出処理を実行した後にサンプルホールド回路４９からデータＤ２が入力されたときに、電圧算出処理を実行する。この電圧算出処理において、制御回路４８は、入力データＤ２と、電圧生成部４ｂの分圧回路４６による分圧比とに基づいて、参照電位Ｖｒを算出し、その値を電力線１の電圧ｖ１として同定する。
【００３８】
このように、本実施形態に係る電圧測定装置では、電圧生成部４ｂが電力線１の電圧ｖ１を含む所定の電圧範囲（−Ｖａ[Ｖ]〜＋Ｖａ[Ｖ]の電圧範囲）内で参照電位Ｖｒを変化させ、制御回路４８が、検出信号Ｓ２に基づいて検出される電位差（ｖ１−Ｖｒ）を示すアナログ信号Ｓ５が０[Ｖ]になったときの参照電位Ｖｒを電力線１の電圧ｖ１として算出するものである。
この電圧測定装置によれば、フィードバック制御によって発生する偏差に起因した測定誤差を低減することができ、その結果、電力線１の電圧ｖ１を高精度に測定することができる。また、前述した特許文献１〜３のように、ブリッジ構成の容量変化機能体を用いないことにより、ブリッジの平衡状態の管理が不要であり、製造上または調整上のコストが増大する恐れもない。
【００３９】
更に、電圧生成回路４４によって生成される基準信号Ｓ６を昇圧トランス４５により昇圧して参照電位Ｖｒを得ているため、この昇圧トランス４５の巻数比を変更するだけで参照電位Ｖｒの出力範囲を変更することができる。従って、様々な被測定電圧に対して測定範囲を自由に設定することができ、結果として広範囲にわたる電圧を正確に測定することが可能になる。
【００４０】
次に、図４は、本発明の第２実施形態における検出部の構成図である。
本実施形態の検出部３Ａでは、電流検出回路としてのトランス３２の一次巻線と抵抗３１５との直列回路に対して並列に、スイッチング素子３１１，３１２の直列回路が接続されている。その他の構成は第１実施形態における検出部３と同一である。
本実施形態によれば、スイッチング素子３１１，３１２がオフである時にトランス３２が励磁されるため、検波回路４１では駆動信号Ｓ１を反転させた信号に基づいて検波タイミングを設定することで検出信号Ｓ２の検波が可能となる。
【００４１】
本発明の電圧測定装置は単体で使用しても良いし、この電圧測定装置と公知の電流測定装置とを組み合わせれば、電力測定装置を構成することもできる。
【符号の説明】
【００４２】
Ｇ：系統電源
１：電力線
１ａ：芯線
２：検出電極
３，３Ａ：検出部
３１：変調回路
３１１，３１２：スイッチング素子
３１３：トランス（駆動回路）
３１４，３１５：抵抗
３２：トランス（電流検出回路）
４：測定部
４ａ：復調部
４ｂ：電圧生成部
４ｃ：データ処理部
４０：発振回路
４１：検波回路
４２：増幅回路
４３：フィルタ回路
４４：電圧生成回路
４５：昇圧トランス
４６：分圧回路
４７：Ａ／Ｄ変換回路
４８：制御回路
４９：サンプルホールド回路
５：測定装置本体
【図１】
2017194419.tif 000003
【図２】
2017194419.tif 000004
【図３】
2017194419.tif 000005
【図４】
2017194419.tif 000006